(57)【要約】【課題】容器内の食品を識別する要素を安価に容器に付設すること。【解決手段】蓋（４）で閉じられる容器本体（３）を備えた食品用の容器（２）と、容器（２）を包み容器に接触して搭載するカバー（５，５'）とを備え、蓋（４）が食品を識別する少なくとも１つの食品識別要素（６）で覆われ、食品特定要素（６）は、カバー（５，５'）の少なくとも１つの所定形状の領域（Ｓ）を除去して形成されて蓋（４）の上に押し付けられることを特徴とする包装材（１，１'）。【選択図】図２
2010208695.tif 000002
【特許請求の範囲】
【請求項１】
蓋（４）で閉じられる容器本体（３）を備えた食品用の容器（２）と、容器（２）を包み容器に接触して搭載するカバー（５，５'）とを備え、蓋（４）が食品を識別する少なくとも１つの食品識別要素（６）で覆われ、食品識別要素（６）は、カバー（５，５'）の少なくとも１つの所定形状の領域（Ｓ）を除去して形成されて蓋（４）の上に押し付けられることを特徴とする包装材（１，１'）。
【請求項２】
前記食品識別要素（６）は、前記領域（Ｓ）の位置でカバー（５，５'）を打ち抜くことによって蓋（４）の上に押し付けられ、領域（Ｓ）はカバー（５，５'）の上面（５ａ）の中央に実質的に位置することを特徴とする請求項１記載の包装材（１，１'）
【請求項３】
カバーの領域（Ｓ）によって形成される食品識別要素（６）は、容器本体（３）に留められる蓋の周縁（４ａ）の内側へ蓋の全表面にわたって実質的に広がる蓋（４）用のラベルを形成し、周縁（４ａ）は、この食品識別要素が設置される周縁（４ａ）の肩に沿って等間隔で形成された複数の凹部（４ｃ）を有することを特徴とする請求項２記載の包装材（１，１'）。
【請求項４】
前記食品識別要素（６）は機械的手段又は付着手段によって蓋（４）に取り付けられ、前記識別要素（６）は蓋に接着するための接着剤が予め塗布され、識別要素（６）は容器（２）に収容される食品を識別するラベルを形成することを特徴とする請求項１〜３のいずれか１つに記載の包装材（１，１'）。
【請求項５】
カバー（５，５'）の壁は、容器本体（３）を受け入れる底（５ａ）と、２つの対向側面（５ｃ，５ｄ）によって接続され前記領域（Ｓ）の除去によって開放される上面（５ｂ）とを備え、この壁はカバー内に容器（２）を固定するのに適していることを特徴とする請求項１〜４のいずれか１つに記載の包装材（１，１'）。
【請求項６】
カバー（５，５'）の中に容器（２）を保持する保持手段がカバーの壁に形成され、前記保持手段は、蓋（４）の内周縁（４ａ）の内部領域の封止又は接着により、カバー（５'）から除去された所定領域（Ｓ）を取り囲む前記上面の内側の周辺領域において、および／又は、
底の２つの対向縁にそれぞれつながれて前記両側面（５ｃ，５ｄ）を接続し、それぞれがカバー（５）の内側へ折り曲げられたとき容器本体（３）の側壁に嵌着するのに適した少なくとも２つの固定フラップ（７）により底（５ａ）において、得られることを特徴とする請求項５記載の包装材（１，１'）。
【請求項７】
容器本体（３）の側壁が回転対称であり、少なくとも一部が切頭円錐形であり、蓋（４）が側壁に留められるタイプの円形であり、カバー（５）が実質的に平行六面体構造を有し、前記保持手段が前記２つのフラップ（７）からなり、フラップ（７）の各自由端が容器本体の側壁の輪郭に嵌着するように円弧状に切り取られ、カバー（５）の２つの側面（５ｃ，５ｄ）に対して容器本体を固定することを特徴とする請求項６記載の包装材（１）。
【請求項８】
カバー（５，５'）が折り曲げられ、底（５ａ）の一部の上に延びるシール材によりその底を覆うことによって密封された厚紙から作られ、容器（２）が少なくとも１つのプラスチックからなることを特徴とする請求項１〜７のいずれか１つに記載の包装材（１，１'）。
【請求項９】
カバー（５，５'）が容器（２）を把持する実質的に平行六面体構造を有し、容器（２）は回転対称で円形放射状部を有することを特徴とする請求項１〜８のいずれか１つに記載の包装材（１，１'）。
【請求項１０】
請求項１〜９のいずれか１つに記載の包装材（１，１'）を製造する方法であって、
ａ）前記食品によって容器（２）を満たすこと、
ｂ）満たされた容器をその蓋で閉じること、
ｃ）食品識別要素（６）を備えるカバーの除去領域（Ｓ）が蓋の所定位置に対面して設置されるように、閉じられた容器の周りにカバー（５，５'）を位置決めすること、および
ｄ）領域（Ｓ）の位置に位置決めされたカバーを打ち抜いて、蓋の上に食品識別要素を押し付けることからなり、この食品識別要素は打ち抜き後に蓋に接着するように接着剤が予め塗布されていることを特徴とする製造方法。
【発明の詳細な説明】
【技術分野】
【０００１】
この発明は、蓋で閉じられる食品容器本体を有するタイプの容器と、容器を包み搭載する容器に接触するカバーとを備える包装材と、この包装材を製造する方法に関する。
【背景技術】
【０００２】
蓋で閉じられる容器本体に食品を詰めて、例えば、熱封止や接着することによって、底，上面および少なくともその両側面で容器を包む厚紙製のカバーを設けることは、長い間に、よく知られた慣習である。例えば、特許文献１は、このようにして得られる包装材を開示している。
【先行技術文献】
【特許文献】
【０００３】
【特許文献１】英国特許第２２８４５８５号
【発明の概要】
【発明が解決しようとする課題】
【０００４】
閉じられる容器を包むカバー付き包装材の大きい欠点は、蓋および／又は容器本体にラベルを貼り付ける作業によって、収納する食品の内容に応じて各容器を区別する必要性にあり、それは、容器の製造に比較的高いコストを要することである。
【課題を解決するための手段】
【０００５】
この発明は、蓋で閉じられる容器本体を備えた食品用の容器と、容器を包み容器に接触して搭載するカバーとを備え、蓋が食品を識別する少なくとも１つの食品識別要素で覆われ、その食品識別要素は、カバーの少なくとも１つの所定形状の領域を除去して形成されて蓋の上に押し付けられることを特徴とする包装材を提供するものである。
つまり、この発明は、上記課題を克服するために、蓋で閉じられる容器本体を備えたタイプの食品容器と、容器を包んで容器に接触して搭載するカバーとを備える包装材を提供するものである。
【０００６】
また、この発明による包装材では、蓋が食品を識別する少なくとも１つの食品識別要素によって覆われ、その食品識別要素は所定の構造のカバーの少なくとも１つの領域を除去して形成され、蓋の上に押し付けられる。
【０００７】
「容器本体」と「蓋」は、この明細書では、底と、場合によっては側壁（この容器本体は、食品を受け入れるベースやトレイの場合には側壁が不要である）とからなる食品用支持体と、この支持体用の封止手段を意味し、封止手段は実質的に平坦な蓋型のものやクローシュ（釣り鐘）形のものであってもよい。
【０００８】
なお、この発明による包装材は、各食品を識別するためにカバー自体を使用してカバーの１つ以上の所定領域を、蓋、場合によっては、容器本体の側壁の位置で、容器の壁へ移動させることによって、最初は外観が「中立」である、つまり収容される予定の種々の食品を示す銘板やラベルのない容器を使用することができる。
【０００９】
なお、容器は、カバーから生じる複数の個別の食品識別要素、又はこの容器に適用される商業用ラベルを形成するように設計された単一の食品識別要素で覆われることが可能である。
【００１０】
容器は、対応する所定領域の位置でカバーを打ち抜くことによって蓋の上に押し付けられる単一の識別要素を有するカバーで覆われ、かつ、その所定領域がカバーの上面の実質的中央に位置することが好ましい。
【００１１】
前記カバーの所定領域によって形成される識別要素は、容器本体に留められる蓋の周縁（リム）の内側で蓋の実質的全表面にわたって広がる、蓋用ラベルを形成することがさらに好ましく、蓋の周縁がこの識別要素が設置される周縁の肩に沿って等間隔に形成された複数の凹部を有することが好ましい。
【００１２】
なお、これらの凹部によって、蓋の周縁に対して識別要素を位置決めすることが容易になる。
【００１３】
この発明の他の特徴によれば、前記食品識別要素は、機械的手段又は付着手段によって蓋に取り付けられることが可能であり、前記食品識別要素には前記打ち抜き作業に先立って蓋に接着するための接着剤が予め塗布され、食品識別要素は容器に収容される食品を識別するラベルを形成する。
【００１４】
この発明の他の特徴によれば、カバーの壁は、容器本体を受け入れる底と、２つの対向側面によって接続され前記所定領域の除去によって開放される上面とを備え、この壁はカバー内に容器（２）を固定するのに適している。
【００１５】
この発明の他の特徴によれば、カバーの中に容器を保持する保持手段が都合よくカバーの壁に形成され、前記保持手段は、
蓋の内周縁（リム）の内部領域の封止又は接着により、カバーから除去された前記所定領域を取り囲む前記上面の内側の周辺領域において、および／又は、
底の２つの対向縁にそれぞれつながれて前記両側面を接続し、それぞれがカバーの内側へ折り曲げられたとき容器本体の側壁に嵌着するのに適した少なくとも２つの固定フラップにより前記底において、得られる。
【００１６】
容器本体の側壁が回転対称であり、例えば、少なくとも一部が切頭円錐形であり、この場合、蓋が側壁に留められるタイプの円形であり、この場合、カバーが実質的に平行六面体構造を有し、前記保持手段が前記２つのフラップからなり、フラップの各自由端が容器本体の側壁の輪郭に嵌着するように円弧状に切り取られ、カバーの２つの側面に対して容器本体を固定すると好都合である。
【００１７】
この発明の他の特徴によれば、カバーが折り曲げられ、底の一部の上に延びるシール材によりその底を覆うことによって密封された厚紙から作られ、容器が少なくとも１つのプラスチック（例えば、蓋と容器本体用の２つの異なる可撓性熱可塑性物質）からなることが好都合である。
【００１８】
上述のように、カバーは、容器を把持する実質的に平行六面体構造を有し、容器は回転対称で円形放射状部を有することができる。なお、他の非円形構造を、蓋と容器本体の両方に用いることが可能であり、容器は楕円形や多角形（例えば長方形や正方形の部分）を備えることができる。
【００１９】
この発明による、上記包装材の製造方法であって、
ａ）前記食品によって容器を満たすこと、
ｂ）満たされた容器をその蓋で閉じること、
ｃ）食品識別要素を備えるカバーの除去領域が蓋の所定位置に対面して設置されるように、閉じられた容器の周りにカバーを位置決めすること、および
ｄ）領域の位置に位置決めされたカバーを打ち抜いて、蓋の上に食品識別要素を押し付けることからなる。なお、この食品識別要素は、打ち抜き後に蓋に接着するように接着剤が予め塗布されていることが好ましい。
【図面の簡単な説明】
【００２０】
【図１】この発明による包装材の上面図である。
【図２】この発明の一実施形態による図１の包装材の斜視図である。
【図３】図２の変形に対応するこの発明の他の実施形態による、製造中の図１の包装材の斜視図である。
【図４】図２，図３の包装材に用いられる蓋付き容器の斜視図である。
【図５】蓋の構造の詳細を示す、図４の容器の上面図である。
【発明を実施するための形態】
【００２１】
包装材１，１'は、図１〜図５に示されるように、例えば、チーズ又はチーズ製品を収容することが好ましいが、他のどのような食品を収容することもできる。この包装材１は、容器２とカバー５，５'とを備え、容器２は食品で満たされ、かつ、蓋４で閉じられた容器本体３を有し、カバー５，５'は容器２を取り囲むと共に、容器２が接触するように容器２を搭載する。
【００２２】
図示される代表的な実施形態において、カバー５，５'は容器２を把持する平行六面体構造を有し、容器２は容器本体３の周縁に留められる内周縁４ａをのぞいて、いくつかのほぼ切頭円錐形部分に沿って先細る容器本体３と、平坦な蓋４との両方のために、円形放射状部分に関して回転対称を有する。容器本体３と蓋４とは２つの異なる可撓性を有する熱可塑性物質から作られている。
【００２３】
図２，図３に示されるように、カバー５，５'は折り曲げられた厚紙で作られ、容器本体３の底を受入れる底５ａと、２つの対向側面５ｃと５ｄに接続され中央に開口を有する上面５ｂを備え、カバー５，５'の他の２つの対向側面は（少なくとも部分的に）開放され、そこから容器２を引き出し、使用後に再びそこに収納できるようになっている。このカバー５，５'もまた、底５ａの一部分にそって延びるシール材５ｅ（図３参照）の細片で、その底でカバー自体が閉じられている。
【００２４】
この発明によって、容器２に食品を満たして閉じた後、打ち抜かれるべき上面５ｂの下に容器２を正確に位置決めした後、容器２内に収容された食品を識別するラベル６を形成するように設計されたカバー５の所定領域Ｓ（図３の破線で示される）を、図３の矢印Ａ方向に打ち抜くことによって、カバー５，５'の上面５ｂが開かれる（このラベル６は図１，２，４，５においてハッチングによって表されている）。この打ち抜き動作は、自動制御ピストンによって行われると、好都合である。この打ち抜き動作は、図１〜図５に示されるようにカバー５，５'に予め一体化されているラベル６を、例えば、蓋４の全表面にわたって蓋４の外面に押し付けて接着することにより容器２へ移動させる効果を有する。従って、ラベル６は、この打ち抜き動作時に蓋４へ瞬間接着するために、予め塗布された接着剤を有する。
【００２５】
図４と図５に示されるように、蓋４の内縁（リム）４ａは、肩４ｂによってラベル６を受入れる蓋４の平坦表面につながり、肩４ｂは、ラベル６用の垂直周側壁を形成し、蓋４にラベル６が接着されるときにラベル６の位置決めを容易にする等間隔の凹部４ｃ（図３）を有する。
【００２６】
この発明による包装材１はまた、図２と図３に示すように、カバー５，５'の中に容器２を保持する保持手段を備える。その保持手段は、カバーの壁に形成され、例えば、領域Ｓを打ち抜くことによって生じる上面５ｂの開口を囲む上面５ｂの内側の図示しない周縁領域を蓋４の内縁（リム）４ａに接着することによって得られる。
【００２７】
図２に示すように、これらの保持手段はまた、容器本体３を固定する２つのフラップ（垂れ板）７を備える。１つのフラップ７が図２に示されている。２つのフラップ７は、それぞれカバー５の底５ａの２つの対向する縁８に各々屈曲可能につながれると共に側面５ｃ，５ｄを接続する。また、２つのフラップ７は各々円弧状に切り取られた自由端７ａを有し、カバー５の内側へ折り込まれることによって容器本体３の側壁に嵌着する。
【００２８】
この発明による包装材のカバー５，５'の形状は、これらの図に示されたものに限定されず、カバーの側面の一部又は全体を閉じるようにすることもできる、つまり、カバー５，５'の２つの開放側面の位置に、底５ａ又は上面５ｂにつながるフラップを設けることができる。
【符号の説明】
【００２９】
１  包装材
２  容器
３  容器本体
４  蓋
４ａ  内縁（リム）
４ｂ  肩
５  カバー
５ａ  底
５ｂ  上面
５ｃ，５ｄ  側面
５ｅ  シール材
６  ラベル
７  フラップ（垂れ板）
７ａ  自由端
８  縁
Ｓ  所定領域
【図１】
2010208695.tif 000003
【図２】
2010208695.tif 000004
【図３】
2010208695.tif 000005
【図４】
2010208695.tif 000006
【図５】
2010208695.tif 000007